(57)【要約】【課題】複数ページの画像が面付けされて印刷された１枚の用紙から冊子を作成する際に、折り加工前の断裁処理を必要とすることなく、２回目の折加工の際や用紙長手方向に対して直行する方向に２つ折りする際に用紙にしわが発生する等の不具合を防止する。【解決手段】複数ページの画像が面付けされて印刷された１枚の用紙に対して、用紙長手方向中心線に接着剤を塗布し、用紙長手方向に複数回折り曲げ、その後用紙長手方向に対して直行する方向に２つ折りし、折部を背として天地および小口を断裁することにより冊子を作成する。その際に、冊子を構成する各ページの画像データを、用紙を長手方向に最初に折り曲げるページが存在する側にオフセットさせて配置することにより、用紙を長手方向に最初に折り曲げるページが存在する側の余白幅が、天地部の断裁幅よりも狭くなるよう複数ページの画像の面付けを行う。【選択図】図１０
2014144563.tif 000002
【特許請求の範囲】
【請求項１】
複数ページの画像が面付けされて印刷された１枚の用紙に対して、用紙長手方向中心線に接着剤を塗布し、用紙長手方向に複数回折り曲げ、その後用紙長手方向に対して直行する方向に２つ折りし、折部を背として天地および小口を断裁することにより作成される冊子であって、
冊子を構成する各ページの画像データを、用紙を長手方向に最初に折り曲げるページが存在する側にオフセットさせて配置することにより、用紙を長手方向に最初に折り曲げるページが存在する側の余白幅が、天地部の断裁幅よりも狭くなるよう複数ページの画像が面付けされて印刷された用紙から作成される冊子。
【請求項２】
複数ページの画像が面付けされて印刷された１枚の用紙を、用紙長手方向に複数回折り曲げる際に、最初に折り曲げたページを内側に巻き込むように複数回折り曲げる場合には、冊子を構成する各ページの画像データを、用紙を長手方向に最初に折り曲げるページが存在する側にオフセットさせて配置し、最初に折り曲げたページを内側に巻き込むように複数回折り曲げない場合には、冊子を構成する各ページの画像データを、用紙を長手方向に最初に折り曲げるページが存在する側にオフセットさせずに配置する請求項１記載の冊子。
【請求項３】
複数ページの画像が面付けされて印刷された１枚の用紙に対して、用紙長手方向中心線に接着剤を塗布し、用紙長手方向に複数回折り曲げ、その後用紙長手方向に対して直行する方向に２つ折りし、折部を背として天地および小口を断裁することにより冊子を作成する冊子作成装置であって、
冊子を構成する各ページの画像データを、用紙を長手方向に最初に折り曲げるページが存在する側にオフセットさせて配置することにより、用紙を長手方向に最初に折り曲げるページが存在する側の余白幅が、天地部の断裁幅よりも狭くなるよう複数ページの画像が面付けされて印刷された用紙から冊子を作成する冊子作成装置。
【請求項４】
複数ページの画像が面付けされて印刷された１枚の用紙に対して、用紙長手方向中心線に接着剤を塗布し、用紙長手方向に複数回折り曲げ、その後用紙長手方向に対して直行する方向に２つ折りし、折部を背として天地および小口を断裁することにより冊子を作成する冊子作成方法であって、
冊子を構成する各ページの画像データを、用紙を長手方向に最初に折り曲げるページが存在する側にオフセットさせて配置することにより、用紙を長手方向に最初に折り曲げるページが存在する側の余白幅が、天地部の断裁幅よりも狭くなるよう複数ページの画像が面付けされて印刷された用紙から冊子を作成する冊子作成方法。
【発明の詳細な説明】
【技術分野】
【０００１】
本発明は、冊子、冊子作成装置および冊子作成方法に関する。
【背景技術】
【０００２】
特許文献１には、階段状の段差部を有するとともに複数葉の用紙が積層された冊子状印刷物を、情報が予め記録された２種類の連続紙から作成することが開示されている。
【先行技術文献】
【特許文献】
【０００３】
【特許文献１】特許第４８０３４８１号公報
【発明の概要】
【発明が解決しようとする課題】
【０００４】
本発明の目的は、複数ページの画像が面付けされて印刷された１枚の用紙から冊子を作成する際に、折り加工前の断裁処理を必要とすることなく、２回目の折加工の際や用紙長手方向に対して直行する方向に２つ折りする際に用紙にしわが発生する等の不具合を防止することが可能な冊子、冊子作成装置および冊子作成方法を提供することである。
【課題を解決するための手段】
【０００５】
［冊子］
請求項１に係る本発明は、複数ページの画像が面付けされて印刷された１枚の用紙に対して、用紙長手方向中心線に接着剤を塗布し、用紙長手方向に複数回折り曲げ、その後用紙長手方向に対して直行する方向に２つ折りし、折部を背として天地および小口を断裁することにより作成される冊子であって、
冊子を構成する各ページの画像データを、用紙を長手方向に最初に折り曲げるページが存在する側にオフセットさせて配置することにより、用紙を長手方向に最初に折り曲げるページが存在する側の余白幅が、天地部の断裁幅よりも狭くなるよう複数ページの画像が面付けされて印刷された用紙から作成される冊子である。
【０００６】
請求項２に係る本発明は、複数ページの画像が面付けされて印刷された１枚の用紙を、用紙長手方向に複数回折り曲げる際に、最初に折り曲げたページを内側に巻き込むように複数回折り曲げる場合には、冊子を構成する各ページの画像データを、用紙を長手方向に最初に折り曲げるページが存在する側にオフセットさせて配置し、最初に折り曲げたページを内側に巻き込むように複数回折り曲げない場合には、冊子を構成する各ページの画像データを、用紙を長手方向に最初に折り曲げるページが存在する側にオフセットさせずに配置する請求項１記載の冊子である。
【０００７】
[冊子作成装置]
請求項３に係る本発明は、複数ページの画像が面付けされて印刷された１枚の用紙に対して、用紙長手方向中心線に接着剤を塗布し、用紙長手方向に複数回折り曲げ、その後用紙長手方向に対して直行する方向に２つ折りし、折部を背として天地および小口を断裁することにより冊子を作成する冊子作成装置であって、
冊子を構成する各ページの画像データを、用紙を長手方向に最初に折り曲げるページが存在する側にオフセットさせて配置することにより、用紙を長手方向に最初に折り曲げるページが存在する側の余白幅が、天地部の断裁幅よりも狭くなるよう複数ページの画像が面付けされて印刷された用紙から冊子を作成する冊子作成装置である。
【０００８】
[冊子作成方法]
請求項４に係る本発明は、複数ページの画像が面付けされて印刷された１枚の用紙に対して、用紙長手方向中心線に接着剤を塗布し、用紙長手方向に複数回折り曲げ、その後用紙長手方向に対して直行する方向に２つ折りし、折部を背として天地および小口を断裁することにより冊子を作成する冊子作成方法であって、
冊子を構成する各ページの画像データを、用紙を長手方向に最初に折り曲げるページが存在する側にオフセットさせて配置することにより、用紙を長手方向に最初に折り曲げるページが存在する側の余白幅が、天地部の断裁幅よりも狭くなるよう複数ページの画像が面付けされて印刷された用紙から冊子を作成する冊子作成方法である。
【発明の効果】
【０００９】
請求項１に係る本発明によれば、複数ページの画像が面付けされて印刷された１枚の用紙から冊子を作成する際に、折り加工前の断裁処理を必要とすることなく、２回目の折加工の際や用紙長手方向に対して直行する方向に２つ折りする際に用紙にしわが発生する等の不具合を防止することが可能な冊子を提供することができる。
【００１０】
請求項２に係る本発明によれば、請求項１に係る発明により得られる効果に加えて、冊子を構成する各ページの画像データをオフセットさせて配置する必要が無い場合には、余白を十分に確保して断裁工程での余裕度を大きく確保することが可能となる。
【００１１】
請求項３に係る本発明によれば、複数ページの画像が面付けされて印刷された１枚の用紙から冊子を作成する際に、折り加工前の断裁処理を必要とすることなく、２回目の折加工の際や用紙長手方向に対して直行する方向に２つ折りする際に用紙にしわが発生する等の不具合を防止することが可能な冊子作成装置を提供することができる。
【００１２】
請求項４に係る本発明によれば、複数ページの画像が面付けされて印刷された１枚の用紙から冊子を作成する際に、折り加工前の断裁処理を必要とすることなく、２回目の折加工の際や用紙長手方向に対して直行する方向に２つ折りする際に用紙にしわが発生する等の不具合を防止することが可能な冊子作成方法を提供することができる。
【図面の簡単な説明】
【００１３】
【図１】本発明の一実施形態の冊子作成システムのシステム構成を示す図である。
【図２】端末装置２０において生成される、印刷シート４０を印刷するための印刷データのレイアウト構成を示す図である。
【図３】本発明の一実施形態の冊子作成システムにより冊子を作成する際の処理を説明するためのフローチャートである。
【図４】本発明の一実施形態の冊子作成方法における接着剤塗布処理および折り加工処理を説明するための図である。
【図５】本発明の一実施形態の冊子作成方法における折り加工処理を説明するための図である。
【図６】本発明の一実施形態の冊子作成方法における折り加工処理を説明するための図である。
【図７】折り加工処理後の加工中の状態の印刷シート４０を示す図である。
【図８】本発明の一実施形態の冊子作成方法における断裁処理を説明するための図である。
【図９】本発明の一実施形態における冊子作成装置５０により作成された冊子の外観を示す図である。
【図１０】冊子を構成する各ページの画像データをオフセットさせて配置した場合の印刷シートを示す図である。
【図１１】画像データがオフセットされて配置された印刷シートの先端部分を拡大した様子を示す図である。
【図１２】画像データをオフセットせずに配置した場合の印刷シートの先端部分を拡大した様子を示す図である。
【図１３】用紙を長手方向に最初に折り曲げる際、用紙を長手方向に最初に折り曲げるページ（Ｐ３、Ｐ８、Ｐ２、Ｐ９）側の余白と断裁幅との関係を説明するための図である。
【図１４】画像データをオフセットさせずに配置することにより、余白の先端が折り曲げられた状態でさらに２つ折り加工が行われる様子を説明するための図である。
【図１５】オフセットさせて配置するのかオフセットさせずに通常のように均等に配置するのかを切り替えるようにした場合の冊子作成方法を説明するためのフローチャートである。
【図１６】４枚葉（８ページ）構成の冊子を作成する際の各ページの画像の面付け配置のレイアウト構成を示す図である。
【図１７】８枚葉（１６ページ）構成の冊子を作成する際の各ページの画像の面付け配置のレイアウト構成を示す図である。
【発明を実施するための形態】
【００１４】
次に、本発明の実施の形態について図面を参照して詳細に説明する。
【００１５】
図１は本発明の一実施形態の冊子作成システムの構成を示すブロック図である。
【００１６】
本発明の一実施形態の冊子作成システムは、図１に示されるように、ネットワーク３０により相互に接続された印刷装置１０、端末装置２０と、冊子作成装置５０とにより構成される。端末装置２０は、印刷データを生成して、ネットワーク３０経由にて印刷装置１０に対して送信する。印刷装置１０では、端末装置２０から送信された印刷データを受け付けて、受け付けた印刷データを用紙上に出力することにより印刷シート４０を生成する。
【００１７】
印刷装置１０は、電子写真方式によるデジタル印刷を行う装置であり、Ｂ２サイズ（７２８ｍｍ×５１５ｍｍ）近辺の用紙が印刷できる機能を備えている。
【００１８】
そして、印刷装置１０により生成された印刷シート４０が冊子作成装置５０において断裁処理、接着剤塗布処理、折り処理等が行われることにより、冊子６０が生成される。
【００１９】
具体的には、この冊子６０は、複数ページの画像が面付けされて印刷された１枚の用紙に対して、用紙長手方向中心線に接着剤を塗布し、用紙長手方向に複数回折り曲げ、その後用紙長手方向に対して直行する方向に２つ折りし、折部を背として天地および小口を断裁することにより作成される。この冊子６０の作成方法の詳細については後述する。
【００２０】
なお、このような冊子作成方法では、用紙長手方向への折り曲げ回数に応じて作成される冊子のページ数が変化する。以下に説明する本実施形態では、用紙長手方向に２回の巻き折りを行った後に、この用紙長手方向に対して直行する方向に２つ折りすることで作成される６枚葉（１２ページ）構成の中綴じ冊子を作成する場合を用いて説明する。
【００２１】
先ずは、６枚葉（１２ページ）構成の中綴じ冊子を作成する場合に用紙に印刷される印刷データのレイアウト構成を図２に示す。なお、この冊子には、表表紙（Ｈ１）、裏表紙（Ｈ４）が含まれるため、冊子の内容としては１０ページ（Ｐ１〜Ｐ１０）となっている。また、図２中の矢印は、各ページにおける画像の上下を示しており、Ｐ４〜Ｐ７の画像は、他のページとは上下反対に画像の割り付けが行われることを示している。また、この印刷データ中には、いわゆるトンボと呼ばれる記号が含まれており、断裁位置、折り位置等が分かるようになっている。
【００２２】
印刷装置１０では、このような構成の印刷データに基づき印刷が行われ、作成された印刷シートが冊子作成装置５０において加工されることにより冊子６０が作成される。
【００２３】
次に、本実施形態の冊子作成システムにより冊子を作成する際の処理を図３のフローチャートを参照して説明する。上記でも説明したように、以下の説明では、６枚葉（１２ページ）構成の冊子を作成する場合を用いて説明を行う。
【００２４】
先ずは、上記で説明したように、端末装置２０では、図２に示したように、冊子を構成する各ページの画像データの面付け配置を決定し割り付けを行う（ステップＳ１０１）。
【００２５】
なお、本実施形態の端末装置２０では、冊子を構成する各ページの画像データを、用紙を長手方向に最初に折り曲げるページが存在する側にオフセットさせて配置することにより、用紙を長手方向に最初に折り曲げるページが存在する側の余白幅が、天地部の断裁幅よりも狭くなるよう複数ページの画像が面付けされるような印刷データを生成する（ステップＳ１０２）。このように冊子を構成する各ページの画像データをオフセットさせて配置する理由については後述する。
【００２６】
次に、端末装置２０で作成された印刷データは印刷装置１０に送信され、印刷処理が行われ両面に各ページの画像が配置された印刷シート４０が作成される（ステップＳ１０３）。
【００２７】
そして、この印刷シート４０は、冊子作成装置５０において、先ず図４に示すように用紙長手方向中心線の指定箇所に接着剤が塗布される（ステップＳ１０４）。
【００２８】
次に、接着剤が塗布された印刷シート４０に対して、折り加工処理が行われる（ステップＳ１０５）。
【００２９】
最初は、用紙長手方向に２回折り曲げる処理が行われる。具体的には、先ず、図４に示すように、Ｐ３（第３ページ）、Ｐ８（第８ページ）の画像をＰ４（第４ページ）、Ｐ７（第７ページ）の画像と合わせるような折り加工が行われる（１回目の巻き折り加工）。そして、図５に示すように、Ｐ２（第２ページ）、Ｐ９（第９ページ）の画像をＰ１（第１ページ）、Ｐ１０（第１０ページ）の画像と合わせるような折り加工が行われる（２回目の巻き折り加工）。
【００３０】
次に、用紙長手方向に対して直行する方向に２つ折りするような折り加工が行われる。具体的には、図６に示すように、Ｐ５（第５ページ）の画像をＰ６（第６ページ）の画像と合わせるような折り加工が行われる。
【００３１】
このようにして作成された加工中の状態の印刷シート４０を図７に示す。
【００３２】
次に、冊子加工装置５０では、図８に示すように、２つ折りした際の折部を背として天地および小口の三方を断裁することにより冊子が作成される。このようにして作成された冊子の外観を図９に示す。
【００３３】
上記で説明したような作成方法により作成されることにより本実施形態の冊子は、図９に示すように、表表紙（Ｈ１）、第１〜第１０ページ（Ｐ１〜Ｐ１０）、裏表紙（Ｈ４）が順番に綴じられた構成となっている。
【００３４】
次に、本実施形態の冊子作成方法では、冊子を構成する各ページの画像データを、用紙を長手方向に最初に折り曲げるページが存在する側にオフセットさせて配置させる理由を以下に説明する。
【００３５】
なお、本実施形態では、上記のような手順で折り加工処理が行われるため、用紙を長手方向に最初に折り曲げるページ（Ｐ３、Ｐ８、Ｐ２、Ｐ９）が存在する側が、印刷シートの先端側となる。
【００３６】
先ず、冊子を構成する各ページの画像データをオフセットさせて配置した印刷シートを図１０に示す。図１０に示した印刷シートでは、画像データをオフセットされて配置されているので、用紙先端の余白幅ａ１が用紙後端側の余白幅ａ２よりも狭くなっているのが分かる。
【００３７】
本実施形態のように冊子を構成する各ページの画像データをオフセットさせて配置しない場合には、用紙先端の余白幅ａ１と用紙後端側の余白幅ａ２とはほぼ均等になる。例えば、用紙先端の余白幅ａ１と用紙後端側の余白幅ａ２とがそれぞれ６ｍｍとなるように均等に配置される。
【００３８】
これに対して、本実施形態のようにオフセットさせて配置することにより、例えば、用紙先端の余白幅ａ１が４ｍｍ、用紙後端側の余白幅ａ２が８ｍｍというように、用紙先端の余白幅ａ１＞用紙後端側の余白幅ａ２となる。
【００３９】
この画像データがオフセットされて配置された印刷シートの先端部分を拡大したものを図１１に示す。また、比較のために、画像データをオフセットせずに配置した場合の印刷シートの先端部分を拡大したものを図１２に示す。オフセットして配置した場合の印刷シートの余白幅ａ１（図１１）が、オフセットしないで配置した場合の印刷シートの余白幅ａ１（図１２）よりも狭くなっているのが分かる。
【００４０】
そして、本実施形態では、冊子を構成する各ページの画像データを、用紙を長手方向に最初に折り曲げるページが存在する側にオフセットさせて配置することにより、用紙を長手方向に最初に折り曲げるページが存在する側の余白幅が、天地部の断裁幅よりも狭くなっている。
【００４１】
そのため、図１３に示すように、用紙を長手方向に最初に折り曲げる際、用紙を長手方向に最初に折り曲げるページ（Ｐ３、Ｐ８、Ｐ２、Ｐ９）側の余白が断裁幅の内側に収まるようになることが分かる。
【００４２】
例えば、図１３に示す例では、断裁幅が６ｍｍであり、用紙を長手方向に最初に折り曲げるページ（Ｐ３、Ｐ８、Ｐ２、Ｐ９）側の余白幅ａ１が断裁幅よりも狭い４ｍｍとなっているため、１回目の巻き折りの際に余白が断裁幅の内側に収まり、余白の先端が２回目の折り位置を越えていない。そのため、本実施形態のように画像データをオフセットさせて配置することにより、２回目の巻き折りの際に余白部分が一緒に折られてしまうことを防ぐことができるとともに、２回目の折り位置と余白先端との間に隙間が確保される。
【００４３】
つまり、本実施形態のように各ページの高さ方向の長さが同じ場合、用紙先端の余白を断裁幅よりも狭くすることにより、巻き三つ折りする際の１回目の折り位置から用紙先端までの長さを、１回目の折り位置と２回目の折り位置との間の長さよりも短くすることができる。
【００４４】
ここで、もし画像データをオフセットさせずに配置して、用紙を長手方向に最初に折り曲げるページ側の余白が断裁幅の内側に収まらなかった場合、２回目の折り加工処理の際に余白先端も折り曲げられることになる。その結果、図１４に示すように、余白の先端が折り曲げられた状態でさらに２つ折り加工が行われることになり、２つ折り加工をする際に用紙にしわが発生してしまう等の不具合が発生する可能性がある。
【００４５】
なお、本実施形態のように画像データをオフセットさせずに配置しても折り加工処理前に余白部分の断裁処理を行えば上記のような問題は発生しないが、断裁処理が１工程増えることは冊子作成の際の手間、コストの上昇を招くことになってしまう。
【００４６】
このように本実施形態の冊子作成方法のように、画像データをオフセットさせて配置することにより用紙先端部の余白を少なくすることにより用紙長手方向へ１回目の折りを行った際の用紙先端位置と用紙長手方向への２回目の折り位置との間に隙間が形成されることとなり、用紙長手方向への２回目の折りを行った後に直角方向へ２つ折りを行う際に、巻折の際に上側にされた用紙内部の空気に対して逃げ道が形成され、直角方向への折りが行われても用紙にしわが発生することが無く、きれいな仕上がりとすることができる。
【００４７】
なお、上記で説明した本実施形態の冊子作成方法では、どのような折り加工処理が行われるかに関係なく、冊子を構成する各ページの画像データをオフセットさせて配置するような割り付け配置を行うものであった。しかし、冊子を作成する際に行われる折り加工処理の内容に基づいて、オフセットさせて配置するのかオフセットさせずに通常のように均等に配置するのかを切り替えるようにすることも可能である。
【００４８】
つまり、複数ページの画像が面付けされて印刷された１枚の用紙を、用紙長手方向に複数回折り曲げる際に、最初に折り曲げたページを内側に巻き込むように複数回折り曲げる場合には、冊子を構成する各ページの画像データを、用紙を長手方向に最初に折り曲げるページが存在する側にオフセットさせて配置し、最初に折り曲げたページを内側に巻き込むように複数回折り曲げない場合には、冊子を構成する各ページの画像データを、用紙を長手方向に最初に折り曲げるページが存在する側にオフセットさせずに配置するようにしてもよい。
【００４９】
このように、オフセットさせて配置するのかオフセットさせずに通常のように均等に配置するのかを切り替えるようにした場合の冊子作成方法を図１５のフローチャートに示す。この図１５のフローチャートは、図３に示した冊子作成方法のフローチャートに対して、ステップＳ２０１、Ｓ２０２を追加したものである。
【００５０】
端末装置２０では、冊子作成装置６０で行われる冊子作成工程において巻き３つ折り以上の折り加工処理が行われるか否か、つまり、最初に折り曲げたページを内側に巻き込むように２回以上折り曲げるような加工処理が行われるか否かを判定し（ステップＳ２０１）、巻き３つ折り以上の折り加工処理が行われる場合のみ画像データをオフセットさせ（ステップＳ１０２）、そうでない場合には画像データをオフセットさせないようにする（ステップＳ２０２）。
【００５１】
このような判定を行うことにより、画像データをオフセットさせる必要が無い場合には十分は余白が確保されるようにして、その後の断裁処理におけるマージンが十分確保されることとなる。
【００５２】
[変形例]
上記実施形態では、６枚葉（１２ページ）構成の冊子を作成する場合を用いて説明したが、本発明はこれに限定されるものではなく、４枚葉（８ページ）、８枚葉（１６ページ）構成等の冊子を作成する場合でも同様に本発明を適用することができるものである。
【００５３】
図１６には、４枚葉（８ページ）構成の冊子を作成する際の各ページの画像の面付け配置のレイアウト構成を示し、図１７には、８枚葉（１６ページ）構成の冊子を作成する際の各ページの画像の面付け配置のレイアウト構成を示す。
【００５４】
つまり、図１６、図１７に示すように用紙長手方向に巻き折りする回数を変更することにより冊子を構成するページ数を変えることが可能である。
【符号の説明】
【００５５】
１０    印刷装置
２０    端末装置
３０    ネットワーク
４０    印刷シート
５０    冊子作成装置
６０    冊子
【図１】
2014144563.tif 000003
【図２】
2014144563.tif 000004
【図３】
2014144563.tif 000005
【図４】
2014144563.tif 000006
【図５】
2014144563.tif 000007
【図６】
2014144563.tif 000008
【図７】
2014144563.tif 000009
【図８】
2014144563.tif 000010
【図９】
2014144563.tif 000011
【図１０】
2014144563.tif 000012
【図１１】
2014144563.tif 000013
【図１２】
2014144563.tif 000014
【図１３】
2014144563.tif 000015
【図１４】
2014144563.tif 000016
【図１５】
2014144563.tif 000017
【図１６】
2014144563.tif 000018
【図１７】
2014144563.tif 000019
【手続補正書】
【提出日】平成25年6月6日(2013.6.6)
【手続補正１】
【補正対象書類名】特許請求の範囲
【補正対象項目名】全文
【補正方法】変更
【補正の内容】
【特許請求の範囲】
【請求項１】
複数ページの画像が面付けされて印刷された１枚の用紙に対して、用紙長手方向中心線に接着剤を塗布し、接着剤を塗布した面を用紙長手方向に折り曲げ、当該折り曲げた部分を覆うようにして更に用紙長手方向に折り曲げる複数回の巻き折り加工を行い、その後用紙長手方向に対して直行する方向に２つ折りし、折部を背として天地および小口を断裁することにより冊子を作成する冊子作成方法であって、
冊子を構成する各ページの画像データを、用紙を長手方向に最初に折り曲げるページが存在する側にオフセットさせて配置することにより、用紙を長手方向に最初に折り曲げるページが存在する側の余白幅が、天地部の断裁幅よりも狭くなるよう複数ページの画像が面付けされて印刷された用紙から冊子を作成する冊子作成方法。
【請求項２】
冊子を構成する各ページの画像データを、用紙を長手方向に最初に折り曲げるページが存在する側にオフセットさせて配置することにより、用紙を長手方向に最初に折り曲げるページが存在する側の余白幅が、天地部の断裁幅よりも狭くなるよう複数ページの画像を面付けして１枚の用紙に印刷する印刷装置と、
前記印刷装置により印刷された１枚の用紙に対して、用紙長手方向中心線に接着剤を塗布し、接着剤を塗布した面を用紙長手方向に折り曲げ、当該折り曲げた部分を覆うようにして更に用紙長手方向に折り曲げる複数回の巻き折り加工を行い、その後用紙長手方向に対して直行する方向に２つ折りし、折部を背として天地および小口を断裁する冊子作成装置と、
を含む冊子作成システム。
【手続補正３】
【補正対象書類名】明細書
【補正対象項目名】０００５
【補正方法】削除
【補正の内容】
【手続補正４】
【補正対象書類名】明細書
【補正対象項目名】０００６
【補正方法】削除
【補正の内容】
【手続補正５】
【補正対象書類名】明細書
【補正対象項目名】０００７
【補正方法】削除
【補正の内容】
【手続補正６】
【補正対象書類名】明細書
【補正対象項目名】０００８
【補正方法】変更
【補正の内容】
【０００８】
[冊子作成方法]
請求項１に係る本発明は、複数ページの画像が面付けされて印刷された１枚の用紙に対して、用紙長手方向中心線に接着剤を塗布し、接着剤を塗布した面を用紙長手方向に折り曲げ、当該折り曲げた部分を覆うようにして更に用紙長手方向に折り曲げる複数回の巻き折り加工を行い、その後用紙長手方向に対して直行する方向に２つ折りし、折部を背として天地および小口を断裁することにより冊子を作成する冊子作成方法であって、
冊子を構成する各ページの画像データを、用紙を長手方向に最初に折り曲げるページが存在する側にオフセットさせて配置することにより、用紙を長手方向に最初に折り曲げるページが存在する側の余白幅が、天地部の断裁幅よりも狭くなるよう複数ページの画像が面付けされて印刷された用紙から冊子を作成する冊子作成方法である。
[冊子作成システム]
請求項２に係る本発明は、冊子を構成する各ページの画像データを、用紙を長手方向に最初に折り曲げるページが存在する側にオフセットさせて配置することにより、用紙を長手方向に最初に折り曲げるページが存在する側の余白幅が、天地部の断裁幅よりも狭くなるよう複数ページの画像を面付けして１枚の用紙に印刷する印刷装置と、
前記印刷装置により印刷された１枚の用紙に対して、用紙長手方向中心線に接着剤を塗布し、接着剤を塗布した面を用紙長手方向に折り曲げ、当該折り曲げた部分を覆うようにして更に用紙長手方向に折り曲げる複数回の巻き折り加工を行い、その後用紙長手方向に対して直行する方向に２つ折りし、折部を背として天地および小口を断裁する冊子作成装置と、を含む冊子作成システムである。
【手続補正７】
【補正対象書類名】明細書
【補正対象項目名】０００９
【補正方法】削除
【補正の内容】
【手続補正８】
【補正対象書類名】明細書
【補正対象項目名】００１０
【補正方法】削除
【補正の内容】
【手続補正９】
【補正対象書類名】明細書
【補正対象項目名】００１１
【補正方法】削除
【補正の内容】
【手続補正１０】
【補正対象書類名】明細書
【補正対象項目名】００１２
【補正方法】変更
【補正の内容】
【００１２】
請求項１に係る本発明によれば、複数ページの画像が面付けされて印刷された１枚の用紙から冊子を作成する際に、折り加工前の断裁処理を必要とすることなく、２回目の折加工の際や用紙長手方向に対して直行する方向に２つ折りする際に用紙にしわが発生する等の不具合を防止することが可能な冊子作成方法を提供することができる。
請求項２に係る本発明によれば、複数ページの画像が面付けされて印刷された１枚の用紙から冊子を作成する際に、折り加工前の断裁処理を必要とすることなく、２回目の折加工の際や用紙長手方向に対して直行する方向に２つ折りする際に用紙にしわが発生する等の不具合を防止することが可能な冊子作成システムを提供することができる。